(57)【要約】    【課題】既存のファクシミリよりも安価に製造可能なファクシミリを提供する。    【解決手段】ファクシミリを、ＦＡＸ送信を行った各ＦＡＸがサポートしている符号化方式を示す仕様情報を、各ＦＡＸのＦＡＸ番号と共に記憶しておくための仕様管理テーブルを、備え、仕様管理テーブルにＦＡＸ番号が記憶されているＦＡＸへのＦＡＸ送信指示が入力された場合（Ｓ１０１；ＹＥＳ）、仕様管理テーブル上の仕様情報に基づき、宛先ＦＡＸへのＦＡＸ送信に最も適した符号化方式を選択（Ｓ１０２）し、選択した符号化方式のＦＡＸデータを生成（Ｓ１０３）してから、実際のＦＡＸ送信（Ｓ１０４，Ｓ１０７等の処理）を行う装置として構成しておく。    【選択図】図４
2008154139.tif 000002
【特許請求の範囲】
【請求項１】
複数のファクシミリのそれぞれについて、そのファクシミリがサポートしている符号化方式を示す仕様情報を，そのファクシミリの電話番号と共に記憶しておくための仕様情報記憶手段と、
宛先ファクシミリへのファクシミリ送信の実行が指示されたときに、原稿をスキャンすることにより前記原稿の画像データを生成し，その画像データを利用してファクシミリ送信を行うファクシミリ送信手段であって、前記宛先ファクシミリの電話番号が前記仕様情報記憶手段に記憶されていた場合には、前記電話番号と共に前記仕様情報記憶手段に記憶されている前記仕様情報に基づき，前記画像データから前記宛先ファクシミリがサポートしている幾つかの符号化方式のうち最も高品質な符号化方式のファクシミリデータを生成した後に前記宛先ファクシミリとの間の呼設定を行うというデータ生成後送信手順によりファクシミリ送信を行うファクシミリ送信手段と
を備えることを特徴とするファクシミリ。
【請求項２】
前記ファクシミリ送信手段が、
前記電話番号が前記仕様情報記憶手段に記憶されていなかった場合には、前記宛先ファクシミリとの間の呼設定を行い，前記宛先ファクシミリから，サポートしている符号化方式に関する情報を取得し，当該情報に基づき前記宛先ファクシミリがサポートしている幾つかの符号化方式の中から，ファクシミリデータを前記画像データから生成しながらファクシミリ送信を行うことが可能な最も高品質な符号化方式を選択し，選択した符号化方式のファクシミリデータを前記画像データから生成しながらファクシミリ送信を行う手段である
ことを特徴とする請求項１記載のファクシミリ。
【請求項３】
前記ファクシミリ送信手段が、
前記電話番号が前記仕様情報記憶手段に記憶されていない場合、前記宛先ファクシミリから取得した，サポートしている符号化方式に関する情報を，前記仕様情報として，前記宛先ファクシミリの電話番号と共に，前記仕様情報記憶手段に記憶する手段である
ことを特徴とする請求項１又は請求項２に記載のファクシミリ。
【請求項４】
前記ファクシミリ送信手段が、
前記電話番号が前記仕様情報記憶手段に記憶されている場合、前記宛先ファクシミリとの間の呼設定を行った後に前記宛先ファクシミリからサポートしている符号化方式に関する情報を取得し，取得した当該情報が，生成済みの前記ファクシミリデータの符号化形式をサポートしていないことを示すものであった場合には、当該情報に基づき前記宛先ファクシミリがサポートしている幾つかの符号化方式の中から，ファクシミリデータを前記画像データから生成しながらファクシミリ送信を行うことが可能な最も高品質な符号化方式を選択し、選択した符号化方式のファクシミリデータを前記画像データから生成しながらファクシミリ送信を行う手段である
ことを特徴とする請求項１乃至請求項３のいずれかに記載のファクシミリ。
【請求項５】
前記ファクシミリ送信手段が、
前記電話番号が前記仕様情報記憶手段に記憶されていた場合、前記宛先ファクシミリとの間の呼設定を行った後に前記宛先ファクシミリからサポートしている符号化方式に関する情報を取得し，取得した当該情報が前記仕様情報よりも高品質な符号化方式をサポートしていることを示すものであった場合には、一旦、呼を解放した後に、当該情報に基づいた前記データ生成後送信手順によりファクシミリ送信を行う手段である
ことを特徴とする請求項１乃至請求項３のいずれかに記載のファクシミリ。
【発明の詳細な説明】
【技術分野】
【０００１】
本発明は、各種符号化方式によるファクシミリ送信を行えるファクシミリに関する。
【背景技術】
【０００２】
周知のように、近年のファクシミリの中には、ＭＨ，ＭＲ，ＭＭＲ，ＪＢＩＧ，ＪＰＥＧといった各種符号化方式により符号化されたファクシミリデータ（以下、ＦＡＸデータとも表記する）を送受信可能なものが，存在している。
【０００３】
そして、モノクロＦＡＸ用の符号化方式（ＪＰＥＧは、カラーＦＡＸ用の符号化方式）の中では、ＪＢＩＧが最も高品質なＦＡＸ送信が行えるものとなっているのであるが、画像データ（スキャン結果）をＪＢＩＧで符号化してＦＡＸデータを生成する処理は、ソフトウェアで行った場合（ＣＰＵに行わせた場合）には、ＦＡＸの規格で定められている時間内に終わらない処理（複雑な内容の処理）となっている。このため、ＪＢＩＧをサポートするファクシミリを製造する際には、ＪＢＩＧ（及び他の符号化方式）による符号化を行うための専用のハードウェア（ＡＳＩＣ）を搭載せざるを得ず、その結果として、既存のファクシミリは、いずれも、比較的に高価な装置となっている。
【発明の開示】
【発明が解決しようとする課題】
【０００４】
そこで、本発明の課題は、既存のファクシミリよりも安価に製造することが出来る構成を有するファクシミリを、提供することにある。
【課題を解決するための手段】
【０００５】
上記課題を解決するために、本発明のファクシミリは、複数のファクシミリのそれぞれについて、そのファクシミリがサポートしている符号化方式を示す仕様情報を，そのファクシミリの電話番号と共に記憶しておくための仕様情報記憶手段と、宛先ファクシミリへのファクシミリ送信の実行が指示されたときに、原稿をスキャンすることにより前記原稿の画像データを生成し，その画像データを利用してファクシミリ送信を行うファクシミリ送信手段であって、前記宛先ファクシミリの電話番号が前記仕様情報記憶手段に記憶されていた場合には、前記電話番号と共に前記仕様情報記憶手段に記憶されている前記仕様情報に基づき，前記画像データから前記宛先ファクシミリがサポートしている幾つかの符号化方式のうち最も高品質な符号化方式のファクシミリデータを生成した後に前記宛先ファクシミリとの間の呼設定を行うというデータ生成後送信手順によりファクシミリ送信を行うファクシミリ送信手段とを、備える。
【０００６】
すなわち、本発明のファクシミリは、いわば、符号化用のハードウェアを設ける代わりに、宛先ファクシミリに送信するファクシミリデータを生成してから、実際のファクシミリ送信を行う構成（仕様情報記憶手段及びファクシミリ送信手段）を採用した装置となっている。従って、このファクシミリは、符号化用のハードウェアを必要としない分、既存のファクシミリ（符号化用のハードウェアを備えたファクシミリ）よりも、安価に製造できる装置となっていると言うことが出来る。
【０００７】
本発明のファクシミリを実現するに際しては、ファクシミリ送信手段を、前記電話番号が前記仕様情報記憶手段に記憶されていなかった場合には、前記宛先ファクシミリとの間の呼設定を行い，前記宛先ファクシミリから，サポートしている符号化方式に関する情報を取得し，当該情報に基づき前記宛先ファクシミリがサポートしている幾つかの符号化方式の中から，ファクシミリデータを前記画像データから生成しながらファクシミリ送信を行うことが可能な最も高品質な符号化方式を選択し，選択した符号化方式のファクシミリデータを前記画像データから生成しながらファクシミリ送信を行う手段としておくことが出来る。
【０００８】
また、本発明のファクシミリを実現するに際しては、ファクシミリ送信手段を、前記電話番号が前記仕様情報記憶手段に記憶されていない場合、前記宛先ファクシミリから取得した，サポートしている符号化方式に関する情報を，前記仕様情報として，前記宛先ファクシミリの電話番号と共に，前記仕様情報記憶手段に記憶する手段としておくことが望ましい。
【０００９】
また、宛先ファクシミリの機種変更に対応できるようにするために、本発明のファクシミリを、ファクシミリ送信手段として、前記電話番号が前記仕様情報記憶手段に記憶されている場合、前記宛先ファクシミリとの間の呼設定を行った後に前記宛先ファクシミリからサポートしている符号化方式に関する情報を取得し，取得した当該情報が，生成済みの前記ファクシミリデータの符号化形式をサポートしていないことを示すものであった場合には、当該情報に基づき前記宛先ファクシミリがサポートしている幾つかの符号化方式の中から，ファクシミリデータを前記画像データから生成しながらファクシミリ送信を行うことが可能な最も高品質な符号化方式を選択し、選択した符号化方式のファクシミリデータを前記画像データから生成しながらファクシミリ送信を行う手段を採用した形で実現しておくことも出来る。
【００１０】
また、常に、宛先ファクシミリに最も適した符号化方式で符号化したファクシミリデータを送信できるようにするために、本発明のファクシミリを、ファクシミリ送信手段として、前記電話番号が前記仕様情報記憶手段に記憶されていた場合、前記宛先ファクシミリとの間の呼設定を行った後に前記宛先ファクシミリからサポートしている符号化方式に関する情報を取得し，取得した当該情報が前記仕様情報よりも高品質な符号化方式をサポートしていることを示すものであった場合には、一旦、呼を解放した後に、当該情報に基づいた前記データ生成後送信手順によりファクシミリ送信を行う手段を採用した形で実現しておくことも出来る。
【発明を実施するための最良の形態】
【００１１】
以下、本発明を実施するための最良の形態を、図面を参照して詳細に説明する。
【００１２】
《第１実施形態》
まず、図１及び図２を用いて、本発明の第１実施形態に係るファクシミリ１０の概要説明を行うことにする。
【００１３】
図１に示してあるように、本実施形態に係るファクシミリ１０は、主な構成要素して、ＣＰＵ，ＲＡＭ，メモリ制御ＡＳＩＣ，スキャナＡＳＩＣ，スキャナ，画像処理ＡＳＩＣ，印刷エンジン，フラッシュＲＯＭ，ＩＯ制御ＡＳＩＣ，ＦＡＸ回路，ネットワークインタフェース回路（ＮＷ−Ｉ／Ｆ），操作パネル２０を備えた装置である。
【００１４】
このファクシミリ１０は、ファクシミリ機能を有する既存の複合機の，ソフトウェア構成（フラッシュＲＯＭに記憶されているファームウェア）を変更した装置である。このため、各構成要素の詳細説明は省略するが、ファクシミリ１０の操作パネル２０は、図２に示してあるように、ＬＣＤ２１や、ファックスモードボタン２２，モノクロスタートボタン２３，カラースタートボタン２４等が設けられているユニットとなっている。
【００１５】
そして、本実施形態に係るファクシミリ１０（複合機）は、ファックスモードボタン２２が押下されると、ファクシミリの送信条件（宛先ファクシミリの電話番号等）の設定が可能な状態に移行する装置であると共に、ファクシミリの送信条件が設定されている状態でモノクロスタートボタン２３が押下された場合には、符号化方式として，ＭＨ，ＭＲ，ＭＭＲ或いはＪＢＩＧを採用したＦＡＸ送信（モノクロのファクシミリ送信）を行い、カラースタートボタン２４が押下された場合には、符号化方式として，ＪＰＥＧを採用したＦＡＸ送信（カラーのファクシミリ送信）を行う装置となっている。
【００１６】
さらに、ファクシミリ１０は、スキャン結果からＦＡＸデータ〔ＦＡＸ送信を行うデータ〕を生成する処理が，ソフトウェア（ＣＰＵ）により行われる装置（符号化用のハードウェアを備えない装置）となっている。
【００１７】
以上のことを前提に、以下、本実施形態に係るファクシミリ１０の構成及び動作を、具体的に説明する。
【００１８】
本実施形態に係るファクシミリ１０は、フラッシュＲＯＭの一部の記憶領域が、仕様管理テーブルとして利用されるように構成された（プログラムされた）装置となっている。
【００１９】
ここで、仕様管理テーブルとは、ＦＡＸ送信を行った際に（詳細は後述）、宛先ＦＡＸ（ＦＡＸデータの送信先ファクシミリ）のＦＡＸ番号と仕様情報（宛先ＦＡＸがサポートしている符号化方式や用紙サイズを示す情報）とが記憶される，図３に示した構成を有するテーブルのことである。
【００２０】
そして、ファクシミリ１０は、モノクロのＦＡＸ送信の実行が指示された場合には、図４に示した手順の処理を開始し、カラーのＦＡＸ送信の実行が指示された場合には、図５に示した手順の処理を開始するように構成された装置となっている。
【００２１】
まず、モノクロＦＡＸ送信時におけるファクシミリ１０の動作（図４の処理の内容）を説明する。
【００２２】
図４に示してあるように、モノクロのＦＡＸ送信の実行が指示されたファクシミリ１０は、まず、宛先ＦＡＸ番号（宛先ＦＡＸの電話番号）が仕様管理テーブル（図３参照）に記憶されているか否かを判断する（ステップＳ１０１）。
【００２３】
そして、ファクシミリ１０は、宛先ＦＡＸ番号が仕様管理テーブルに記憶されていなかった場合（ステップＳ１０１；ＮＯ）には、原稿のスキャン（スキャナを動作させることにより、原稿の画像データを生成する処理；ステップＳ１１１）と、宛先ＦＡＸとの間の呼を設定するための呼設定処理（ステップＳ１１２）とを、行う。
【００２４】
次いで、ファクシミリ１０は、宛先ＦＡＸがサポートしている符号化方式を表す仕様情報を宛先ＦＡＸから取得する処理（ステップＳ１１３）と、取得した仕様情報及び宛先ＦＡＸ番号を仕様管理テーブルに登録する処理（ステップＳ１１４）とを、行う。
【００２５】
その後、ファクシミリ１０は、取得した仕様情報がサポートしていることを示している符号化形式の中から、“ＦＡＸデータをスキャン結果から生成しながらＦＡＸ送信を行う処理”〔宛先ＦＡＸが原稿サイズと同じサイズの用紙をサポートしていない場合には，短時間で完了する拡縮処理（画素を間引くことによる縮小処理等）も行われる処理〕が，問題無く行える最も高品質な（受信結果が最も高品質なものとなる）符号化形式を選択する処理（ステップＳ１１５）を行う。そして、ステップＳ１１５の処理を終えたファクシミリ１０は、当該処理にて選択した符号化形式のＦＡＸデータをスキャン結果から生成しなからＦＡＸ送信を行う処理（宛先ＦＡＸが原稿サイズと同じサイズの用紙をサポートしていない場合には，短時間で完了する拡縮処理も行われる処理：ステップＳ１１６）を開始し、当該処理が完了した際には、呼の解放や，不要となったデータのメモリ（ＲＡＭ）上からの消去を行う処理である後処理（ステップＳ１０８）を実行してから、この図の処理を終了する。
【００２６】
なお、本実施形態に係るファクシミリ１０のＣＰＵは、ＭＨ，ＭＲ，ＭＭＲについては、常に（画像サイズの変更が必要な場合であっても），ステップＳ１１６の処理を問題なく行えるものとなっている。そして、受信結果の品質については、ＪＢＩＧ＞ＭＭＲ＞ＭＲ＞ＭＨが成立するため、ステップＳ１１５の処理は、宛先ＦＡＸがサポートしている，ＪＢＩＧを除いた符号化方式の中に、ＭＭＲが含まれれば，ＭＭＲを選択し、ＭＭＲが含まれず，ＭＲが含まれれば，ＭＲを選択するといった内容の処理（ＭＭＲ，ＭＲ，ＭＨの順で符号化方式を選択する処理）となっている。
【００２７】
また、ファクシミリ１０は、宛先ＦＡＸ番号が仕様管理テーブルに記憶されていた場合（ステップＳ１０１；ＹＥＳ）には、まず、宛先ＦＡＸに関する仕様情報（宛先ＦＡＸ番号と対応づけられている仕様情報）を仕様管理テーブルから読み出し、当該仕様情報がサポートしていることを示している符号化方式の中から、最も高品質な符号化形式を選択する処理（ステップＳ１０２）を行う。より具体的には、ファクシミリ１０は、宛先ＦＡＸに関する仕様情報を仕様管理テーブルから読み出し、読み出した仕様情報がサポートしていることを示している符号化方式の中に、ＪＢＩＧが含まれていれば，ＪＢＩＧを選択し、ＪＢＩＧが含まれず，ＭＭＲが含まれていれば，ＭＭＲを選択するといった内容の処理（ＪＢＩＧ，ＭＭＲ，ＭＲ，ＭＨの順で符号化形式を選択する処理）を行う。
【００２８】
次いで、ファクシミリ１０は、原稿をスキャンすることにより原稿の画像データを生成しながら、選択した符号化形式のＦＡＸデータを生成する処理（ステップ１０３）を行う。なお、この処理は、原稿のスキャン結果をメモリ（ＲＡＭ）上に残した形で行われる処理であると共に、画像サイズの変更が必要な場合には、ステップＳ１１６で行われる拡縮処理よりも、時間はかかるが，処理結果がより良好なものとなる拡縮処理（全ての画素の濃度を考慮に入れた拡縮処理）が，行われるものとなっている。
【００２９】
ステップＳ１０３の処理を終えたファクシミリ１０は、呼設定処理（ステップＳ１０４）と、宛先ＦＡＸから仕様情報を取得する処理（ステップＳ１０５）とを、行う。そして、ファクシミリ１０は、取得した仕様情報が，仕様管理テーブルから読み出した仕様情報と同内容のものであった場合（ステップＳ１０６；ＹＥＳ）には、生成済みのＦＡＸデータのＦＡＸ送信を行う処理（ステップＳ１０７），及び，後処理（ステップＳ１０８）を行ってから、この図の処理を終了する。
【００３０】
また、ファクシミリ１０は、宛先ＦＡＸから取得した仕様情報が，仕様管理テーブルから読み出した仕様情報と同内容のものではなかった場合（ステップＳ１０６；ＮＯ）には、ステップＳ１１４にて、仕様管理テーブル上の宛先ＦＡＸ番号に関する仕様情報を、今回、取得した仕様情報に変更する処理を行う。そして、ファクシミリ１０は、既に説明したステップＳ１１５，Ｓ１１６，Ｓ１０８の処理を行ってから、この図の処理を終了する。
【００３１】
次に、カラーＦＡＸ送信時におけるファクシミリ１０の動作（図５の処理の内容）を説明する。
【００３２】
図５に示してあるように、カラーのＦＡＸ送信の実行が指示されたファクシミリ１０は、まず、宛先ＦＡＸ番号が仕様管理テーブルに記憶されているか否かを判断する（ステップＳ２０１）。
【００３３】
そして、ファクシミリ１０は、宛先ＦＡＸ番号が仕様管理テーブルに記憶されていなかった場合（ステップＳ２０１；ＮＯ）には、まず、原稿のスキャン（ステップＳ２２１）を行う。次いで、ファクシミリ１０は、呼設定処理（ステップＳ２２２）、宛先ＦＡＸがサポートしている符号化方式を表す仕様情報を宛先ＦＡＸから取得する処理（ステップＳ２１３）、及び、取得した仕様情報及び宛先ＦＡＸ番号を仕様管理テーブルに登録する処理（ステップＳ２２４）を、行う。
【００３４】
その後、ファクシミリ１０は、取得した仕様情報が、ＪＰＥＧをサポートしていることを示すものであるか否かを判断する（ステップＳ２２５）。そして、ファクシミリ１０は、取得した仕様情報が、ＪＰＥＧをサポートしていることを示すものでなかった場合（ステップＳ２２５；ＮＯ）には、エラーメッセージをＬＣＤ２１上に表示する処理（ステップＳ２１３）と、後処理（呼の解放や，不要となったデータの消去を行う処理；ステップＳ２０９）とを行ってから、この図の処理を終了する。
【００３５】
また、ファクシミリ１０は、取得した仕様情報が、ＪＰＥＧをサポートしていることを示すものであった場合（ステップＳ２２５；ＹＥＳ）には、スキャン結果（ステップＳ２２１の処理で得られている画像データ）からＪＰＥＧ方式のＦＡＸデータを生成しなからＦＡＸ送信を行う処理（ステップＳ２２６）と、後処理（ステップＳ２０９）とを行ってから、この図の処理を終了する。なお、ステップＳ２２６で行われる処理も、ステップＳ１１５の処理と同様に、画像サイズの変更が必要な場合，短時間で完了する拡縮処理が行われる処理となっている。
【００３６】
また、ファクシミリ１０は、宛先ＦＡＸ番号が仕様管理テーブルに記憶されていた場合（ステップＳ２０１；ＹＥＳ）には、宛先ＦＡＸに関する仕様情報を仕様管理テーブルから読み出す処理（ステップＳ２０２）を行ってから、当該仕様情報が、ＪＰＥＧをサポートしていることを示すものであるか否かを判断する（ステップＳ２０３）。そして、ファクシミリ１０は、仕様管理テーブルから読み出した仕様情報が、ＪＰＥＧをサポートしていることを示すものでなかった場合（ステップＳ２０３；ＮＯ）には、エラーメッセージをＬＣＤ２１上に表示する処理（ステップＳ２１３）と、後処理（ステップＳ２０９）とを行ってから、この図の処理を終了する。
【００３７】
また、ファクシミリ１０は、仕様管理テーブルから読み出した仕様情報が、ＪＰＥＧをサポートしていることを示すものであった場合（ステップＳ２０３；ＹＥＳ）には、ステップＳ２０４にて、原稿をスキャンしながらＪＰＥＧ方式のＦＡＸデータを生成する処理（全原稿のスキャンが完了する前に，ＦＡＸデータの生成が開始される処理）を行う。なお、このステップＳ２０４の処理は、ステップＳ１０２の処理と同様に、全ての画素の濃度を考慮に入れた拡縮処理（時間はかかるが，処理結果がより良好なものとなる拡縮処理）が，行われるものとなっている。
【００３８】
ステップＳ２０４の処理を終えたファクシミリ１０は、呼設定処理（ステップＳ２０５）と、仕様情報を宛先ＦＡＸから取得する処理（ステップＳ２０６）とを行う。その後、ファクシミリ１０は、宛先ＦＡＸから取得した仕様情報が，仕様管理テーブルから読み出した仕様情報と同内容のものであるか否かを判断（ステップＳ２０７）し、同内容のものであると判断した場合（ステップＳ２０７；ＹＥＳ）、生成済みのＦＡＸデータ（ＪＰＥＧ方式のＦＡＸデータ）のＦＡＸ送信を行う（ステップＳ２０８）。そして、ファクシミリ１０は、ステップＳ２０８の処理が完了した際には、後処理（ステップＳ２０９）を行ってから、この図の処理を終了する。
【００３９】
また、ファクシミリ１０は、宛先ＦＡＸから取得した仕様情報が，仕様管理テーブルから読み出した仕様情報と同内容のものなかった場合（ステップＳ２０７；ＮＯ）には、仕様管理テーブル上の宛先ＦＡＸに関する仕様情報を，今回，取得した仕様情報に変更する処理（ステップＳ２１１）を行ってから、今回，取得した仕様情報が、ＪＰＥＧをサポートしていることを示すものであるか否かを判断する（ステップＳ２１２）。そして、ファクシミリ１０は、仕様情報が、ＪＰＥＧをサポートしていることを示すものでなかった場合（ステップＳ２１２；ＮＯ）には、ステップＳ２１３，Ｓ２０９の処理を行ってから、この図の処理を終了し、仕様情報が、ＪＰＥＧをサポートしていることを示すものであった場合（ステップＳ２１２；ＹＥＳ）には、ステップＳ２０９の処理を行ってから、この図の処理を終了する。
【００４０】
以上の説明から明らかなように、本実施形態に係るファクシミリ１０は、いわば、符号化用のハードウェアを設ける代わりに、宛先ＦＡＸに送信するＦＡＸデータを生成してから、実際のＦＡＸ送信（ステップＳ１０７，２０８の処理）を行う構成を採用した装置となっている。従って、このファクシミリ１０は、符号化用のハードウェアを備えたファクシミリよりも、当該ハードウェアの価格分，安価に製造できる装置となっていると言うことが出来る。
【００４１】
さらに、ファクシミリ１０が実行するステップＳ１０２，Ｓ２０２の処理は、画像データのサイズの変更が必要な場合、通常のファクシミリにて行われている拡縮処理（ステップＳ１１６，Ｓ２２６にてファクシミリ１０が行う拡縮処理）よりも、良好な処理結果が得られる拡縮処理が行われるものとなっている。従って、このファクシミリ１０を用いておけば、画像サイズの変更が必要な場合におけるＦＡＸの受信結果がより良好なものとなる環境を実現できることにもなる。
【００４２】
《第２実施形態》
本発明の第２実施形態に係るファクシミリは、ファクシミリ１０と同じハードウェア構成を有する装置である。このため、以下では、第１実施形態の説明時に用いたものと同じ符号を用いて、本発明の第２実施形態に係るファクシミリ１０の説明を行うことにする。
【００４３】
第２実施形態に係るファクシミリ１０も、第１実施形態に係るファクシミリ１０と同様に、フラッシュＲＯＭの一部の記憶領域が、仕様管理テーブル（図３）として利用されるように構成された（プログラムされた）装置である。
【００４４】
そして、第２実施形態に係るファクシミリ１０は，モノクロのＦＡＸ送信の実行が指示された場合（ファクシミリの送信条件が設定されている状態でモノクロスタートボタン２３が押下された場合）、図４に示した手順の処理ではなく、図５に示した手順の処理を行うように、第１実施形態に係るファクシミリ１０を改良した装置となっている。
【００４５】
すなわち、第２実施形態に係るファクシミリ１０は、モノクロのＦＡＸ送信の実行が指示された場合、以下のように動作する装置となっている。
【００４６】
モノクロのＦＡＸ送信の実行が指示されたファクシミリ１０は、まず、宛先ＦＡＸ番号が仕様管理テーブル（図３参照）に記憶されているか否かを判断する（ステップＳ３０１）。
【００４７】
そして、ファクシミリ１０は、宛先ＦＡＸ番号が仕様管理テーブルに記憶されていなかった場合（ステップＳ３０１；ＮＯ）には、原稿のスキャン（スキャナを動作させることにより、原稿の画像データを生成する処理；ステップＳ３１１）と、宛先ファクシミリとの間の呼を設定するための呼設定処理（ステップＳ３１２）とを、行う。
【００４８】
次いで、ファクシミリ１０は、宛先ファクシミリから、宛先ファクシミリの仕様（宛先ファクシミリがサポートしている符号化方式等）を示す仕様情報を取得し、取得した仕様情報及び宛先ＦＡＸ番号を仕様管理テーブルに登録する処理（ステップＳ３１３）を、行う。
【００４９】
その後、ファクシミリ１０は、取得した仕様情報が，ＪＢＩＧをサポートしていることを示すものであるか否かを判断（ステップＳ３１４）し、取得した仕様情報が，ＪＢＩＧをサポートしていることを示すものでなかった場合（ステップＳ３１４；ＮＯ）には、ステップＳ３１７，Ｓ３１８にて、それぞれ、既に説明したステップＳ１１５，Ｓ１１６（図４参照）と同内容の処理を行う。そして、ファクシミリ１０は、後処理（呼の解放や不要となったデータの消去を行う処理；ステップＳ３１０）を行ってから、この図の処理を終了する。
【００５０】
また、ファクシミリ１０は、取得した仕様情報が，ＪＢＩＧをサポートしていることを示すものであった場合（ステップＳ３１４；ＹＥＳ）には、呼を解放する処理（宛先ＦＡＸとの接続を切断する処理；ステップＳ３１５）を行う。次いで、ファクシミリ１０は、ＪＢＩＧ方式のＦＡＸデータ（図では、ＪＢＩＧＦＡＸデータ）をスキャン結果から生成する処理（ステップＳ３１６）を行う。その後、ファクシミリ１０は、ステップＳ３０４以降の処理（詳細は後述）を実行することにより、生成したＪＢＩＧ方式のＦＡＸデータのＦＡＸ送信を行う。そして、ファクシミリ１０は、後処理（ステップＳ３１０）を行ってから、この図の処理を終了する。
【００５１】
ファクシミリ１０は、宛先ＦＡＸ番号が仕様管理テーブルに記憶されていた場合（ステップＳ３０１；ＹＥＳ）には、ステップＳ３０２〜Ｓ３０６にて、それぞれ、ステップＳ１０２〜Ｓ１０６（図４）と同内容の処理を行う。
【００５２】
そして、ファクシミリ１０は、ステップＳ３０６にて、宛先ＦＡＸから取得した仕様情報が，仕様管理テーブルから読み出した仕様情報と同内容のものであると判断した場合（ＹＥＳ）には、ステップＳ３０９，Ｓ３１０にて、それぞれ、ステップＳ１０７，Ｓ１０８と同内容の処理を行ってから、この図の処理を終了する。
【００５３】
また、ファクシミリ１０は、宛先ＦＡＸから取得した仕様情報が，仕様管理テーブルから読み出した仕様情報と同内容のものではなかった場合（ステップＳ３０６；ＮＯ）には、仕様管理テーブル上の宛先ＦＡＸ番号に関する仕様情報を，今回，取得した仕様情報に変更する処理（ステップ３０７）を行う。そして、ファクシミリ１０は、今回、取得した仕様情報が、より高品質な符号化方式をサポートしていることを示すものであった場合（ステップＳ３０８；ＹＥＳ）には、ステップＳ３１４以降の処理を開始し、今回、取得した仕様情報が、より高品質な符号化方式をサポートしていることを示すものではなかった場合（ステップＳ３０８；ＮＯ）には、ステップＳ３０９以降の処理を開始する。
【００５４】
すなわち、上記した本発明の第１実施形態に係るファクシミリ１０は、宛先ＦＡＸに送信されるＦＡＸデータが、宛先ＦＡＸに最も適した符号化方式で符号化されたものでない場合がある装置であったが、本発明の第２実施形態に係るファクシミリ１０は、常に、宛先ＦＡＸに最も適した符号化方式で符号化されたＦＡＸデータが、宛先ＦＡＸに送信される装置となっている。従って、この第２実施形態に係るファクシミリ１０は、第１実施形態に係るファクシミリ１０と同様の効果を奏する装置であると共に、常に、最もきれいなＦＡＸを相手に送ることが出来る装置となっていると言うことが出来る。
【００５５】
《変形形態》
上記した各実施形態のファクシミリ１０は、各種の変形を行うことが出来る。例えば、各ファクシミリ１０を、ユーザが、仕様管理テーブルへ仕様情報等を登録できる装置（初回のＦＡＸ送信時から、ステップＳ１０２／Ｓ２０２／Ｓ３０２以降の処理を行わせることが出来る装置）に変形することが出来る。また、各ファクシミリ１０に、実際のＦＡＸ送信を行うことなく，仕様管理テーブルへの仕様情報等の登録のみを行う機能（指定されたＦＡＸの仕様情報を調査して、その登録を行う機能）を付与しておくことも出来る。
【００５６】
また、各ファクシミリ１０を、ＦＡＸ送信時に上記した手順の処理を行う動作モードと、ステップＳ１０２／Ｓ２０２／Ｓ３０２以降の処理を行わない動作モードとを有し、動作モードを操作パネル２０から指定できる装置に変形しておくことも出来る。
【００５７】
また、各ファクシミリ１０を、ＦＡＸデータを生成しながらＦＡＸ送信を行えない符号化方式が、複数個（例えば、ＪＢＩＧとＭＭＲ）ある装置（より低性能のＣＰＵが用いられている装置）に変形しても良いことや、単純なファクシミリ（複合機ではない装置）に変形しても良いことなどは、当然のことである。
【図面の簡単な説明】
【００５８】
【図１】本発明の第１実施形態に係るファクシミリの構成図。
【図２】第１実施形態に係るファクシミリが備える操作パネルの説明図。
【図３】第１実施形態に係るファクシミリが備えるＦＡＸ番号と仕様情報が記憶されるテーブルの図。
【図４】第１実施形態に係るファクシミリが，モノクロＦＡＸ送信時に実行する処理の流れ図。
【図５】第１実施形態に係るファクシミリが，カラーＦＡＸ送信時に実行する処理の流れ図。
【図６】本発明の第２実施形態に係るファクシミリが，モノクロＦＡＸ送信時に実行する処理の流れ図。
【符号の説明】
【００５９】
１０  ファクシミリ、  ２０  操作パネル、  ２１  ＬＣＤ
２２  ファックスモードボタン、  ２３  モノクロスタートボタン
２４  カラースタートボタン
【図１】
2008154139.tif 000003
【図２】
2008154139.tif 000004
【図３】
2008154139.tif 000005
【図４】
2008154139.tif 000006
【図５】
2008154139.tif 000007
【図６】
2008154139.tif 000008